(57)【特許請求の範囲】
【請求項１】
ビデオ信号（Ｖ）を供給する手順と、
前記ビデオ信号に透かし（Ｗ）を埋め込む手順と、
保護者ブロッキングデータを搬送する、垂直帰線消去区間中の前記ビデオ信号の所定のビデオラインに、前記透かしに関連したデータ（Ｔ）を付与する手順と、
を有するビデオ信号のコピーを規制する方法。
【請求項２】
前記関連したデータは暗号値である、請求項１記載の方法。
【請求項３】
前記暗号値はシード（Ｓ）のハッシュ関数（Ｆ）であり、
前記透かしは、前記シードのハッシュ関数のハッシュ関数のハッシュ関数である、
請求項２記載の方法。
【請求項４】
前記所定のビデオラインはビデオライン２１である、請求項１記載の方法。
【請求項５】
シード発生器（１２）と、
前記シード発生器からシード（Ｓ）を受け取り、得られたデータを出力するハッシュ関数発生器（１６）と、
前記シードを受け取り、前記シードから透かし（Ｗ）を生成し、入力ビデオに前記透かしを埋め込む透かし発生器（２４）と、
保護者ブロッキングデータを搬送する前記ビデオ信号の前記垂直帰線消去区間内のビデオラインで送信される前記得られたデータ及び前記透かし付きのビデオを受信機へ送信する伝送チャネル（２７）とを有する、
後続のコピーを規制するため入力ビデオ信号を処理する装置。
【請求項６】
前記透かしは、前記シードのハッシュ関数のハッシュ関数のハッシュ関数である、請求項５記載の装置。
【請求項７】
許可されていないビデオ信号（Ｖ+Ｗ+Ｔ）のコピーを阻止するため埋め込まれた透かし（Ｗ）及び関連したデータ（Ｔ）を有するビデオ信号のコピーを規制する方法であって、
ビデオ信号の宛先側のコピー規制システム（３４）によって、ユーザ入力に応じて、ビデオの記録が許可されるべきかどうかを判定する手順と、
記録が許可される場合に限り、コピー規制システムによってビデオ信号及び関連したデータをビデオ信号の宛先側の記録装置（４２）へ送信する手順と、
を有し、
透かしと関連したデータは所定の関係にあり、前記関連したデータは保護者ブロッキングデータを搬送する垂直帰線消去区間中の前記ビデオ信号の所定のビデオラインにある、方法。
【請求項８】
関連したデータは暗号値である、請求項７記載の方法。
【請求項９】
暗号値はシード（Ｓ）のハッシュ関数（Ｆ）であり、
透かしは、シードのハッシュ関数のハッシュ関数のハッシュ関数である、
請求項８記載の方法。
【請求項１０】
ビデオの記録を許可すべきかどうかを判定した後、記録が許可されるべき旨をコピー規制システムから課金システム（３５）へ報せる手順と、
記録の許可に対し課金システムによってビデオ信号の受信へ課金する手順と、
を更に有する請求項７記載の方法。
【請求項１１】
テレビジョン受像機に接続するためのセットトップ・ボックス（３４ａ）であって、
透かし（Ｗ）を含むビデオ信号（Ｖ＋Ｗ）を受信し、透かしと所定の関係にある関連したデータ（Ｔ）を受信するよう適合した入力端子と、
ビデオ信号の記録を可能にさせるユーザ選択事項を受け取る制御端子を具備した条件付きアクセス制御部（３６）と、
条件付きアクセス制御部（３６）の出力端子に接続された制御端子を具備し、入力端子からビデオ信号を受け取り、出力端子を具備し、条件付きアクセス制御部に応答して、関連したデータを含むビデオ信号又は関連したデータを含まないビデオ信号を出力する結合器（４１）とを有し、前記関連したデータは保護者ブロッキングデータを搬送する前記ビデオ信号の垂直帰線消去区間の所定のビデオラインにあるセットトップ・ボックス。
【請求項１２】
上りリンク（３９）へのコネクションを更に有し、
条件付きアクセス制御部（３６）は、上りリンクへユーザ選択事項の標識を送信する、請求項１１記載のセットトップ・ボックス。
【請求項１３】
関連したデータは暗号値である、請求項１１記載のセットトップ・ボックス。
【請求項１４】
出力されたビデオ信号を記録するためビデオレコーダ（４２）が接続されている、請求項１１記載のセットトップ・ボックス。
【請求項１５】
埋め込まれた透かし（Ｗ）と関連したデータ（Ｔ）とを含む入力ビデオ信号（Ｖ＋Ｗ）を受信する手順と、
透かしを検出する手順と、
保護者ブロッキングデータを搬送する前記ビデオ信号の垂直帰線消去区間の所定のビデオラインにある、前記ビデオ信号に関連したデータ（Ｔ）を検出する手順と、
関連したデータに所定の圧縮関数（Ｆ）を適用する手順と、
検出された透かしが圧縮関数の結果と一致する場合に限り、入力ビデオ信号の記録を許可する手順と、
を有するビデオレコーダ（４２）を動作させる方法。
【請求項１６】
圧縮関数は多重のハッシュ関数である、請求項１５記載の方法。
【請求項１７】
データは暗号値である、請求項１５記載の方法。
【請求項１８】
記録媒体へのインタフェースと、
記録媒体に記録されるビデオ信号（Ｖ）を受け取る入力ポートと、
入力ポートに接続された透かし検出器（５０）と、
入力ポートに接続され、ビデオ信号の垂直帰線消去区間の保護者ブロッキングデータを搬送する所定のビデオラインでデータを検出するデータ検出器（５２）と、
検出された透かしをデータの圧縮関数（Ｆ）と比較し、比較結果が一致する場合にビデオ信号の記録媒体への記録を許可するプロセッサ（５７、５８）と、
を有するビデオレコーダ（４２）。
【請求項１９】
圧縮関数は、データのハッシュ関数のハッシュ関数である、請求項１８記載のビデオレコーダ。
【請求項２０】
データは暗号値である、請求項１８記載のビデオレコーダ。
【請求項２１】
媒体に記録されたビデオ信号（Ｖ）の再生を規制する方法であって、
媒体からビデオ信号を再生する手順と、
ビデオ信号中の透かし（Ｗ）を検出する手順と、
保護者ブロッキングデータを搬送する前記ビデオ信号の垂直帰線消去区間の所定のビデオラインにある、前記ビデオ信号に関連する、ビデオ信号と関連したデータ（Ｔ）を検出する手順と、
データに圧縮関数（Ｆ）を適用する手順と、
透かしがデータに作用する圧縮関数の結果と一致した場合に限り、ビデオ信号の更なる再生を許可する手順と、
を有する方法。
【請求項２２】
アナログコピー防止信号を再生されたビデオに付与する手順を更に有する請求項２１記載の方法。
【請求項２３】
圧縮関数はハッシュ関数である、請求項２１記載の方法。
【請求項２４】
データは暗号値である、請求項２１記載の方法。
【請求項２５】
ビデオ信号（Ｖ＋Ｗ）を出力する記録媒体（４６）へのインタフェースと、
ビデオ信号を受信するよう接続された透かし検出器（５４）と、
保護者ブロッキングデータを搬送する前記垂直帰線消去区間の前記ビデオ信号の所定のビデオラインにある、ビデオ信号と関連したデータ（Ｔ）を検出するよう接続されたデータ検出器（５０）と、
透かし検出器及びデータ検出器に接続され、検出されたデータに圧縮関数を適用し、透かしをデータに作用する圧縮関数の結果と比較し、比較結果が一致する場合に限り、更なる再生を許可するプロセッサ（５４）と、
を有するビデオプレーヤ（４２、５２）。
【請求項２６】
圧縮関数は、ハッシュ関数のハッシュ関数である、請求項２５記載のビデオプレーヤ。
【請求項２７】
データは暗号値である、請求項２５記載のビデオプレーヤ。
【発明の詳細な説明】
【０００１】
［発明の分野］
本願明細書は、たとえば、ケーブルテレビジョンシステム、直接放送衛星システム、若しくは、公衆コンピュータネットワーク（インターネット）における有料録画若しくは有料録音のようなオーディオ及びビデオサービス、並びに、改良型オーディオ及びビデオサービスに関する。
【０００２】
［先行技術の説明］
ビデオ透かしを含むビデオ素材のコピーを規制し、連続したコピーを阻止する一部の方法は、第２の透かしをビデオ画像に付加するため記録装置に依拠している。透かし（電子透かし）はデジタルビデオの分野で周知である。透かしは、通常のビデオ信号又はオーディオ信号に埋め込まれた信号であり、固有の識別子を付与し、許可されていないコピー若しくは使用を阻止或いは防止する信号である。透かしは、透かし付きの信号を見る人にはわからないが、適切な回路によって容易に検出される。
【０００３】
コピーを防止若しくは規制することは、著作権侵害行為を阻止し、不許可複製物の配布を防止するために有効である。１回限りのコピー許可状態と、これ以上のコピー不許可状態とが存在する「現在の」規制システムにおいて、第１の透かしと第２の透かしの組合せは、これ以上のコピー不許可状態を定義し、元の透かしは、１回限りのコピー許可状態を定義する。ここで、コピーするとは、たとえば、ビデオテープレコーダ又はビデオディスクレコーダを使用することを意味する。デジタルケーブルテレビジョン又は直接放送衛星用セットトップ・ボックス（ＳＴＢ）を備えたテレビジョンシステムの場合、この種のシステムは、ビデオ内容の連続的なコピーを阻止する。なぜならば、準拠式レコーダは、記録処理中に、１回限りのコピー許可状態から、これ以上のコピー不許可状態への適切な状態変更を行うからである。しかし、記録物は、一般的に、課金システムへ購入選択対象を報せるためのバックチャンネル及び通信メカニズムが設けられていないので、有料録画機能は簡単には得られない。
【０００４】
有料録画機能を実現するため、レコーダが状態変化を制御するのではなく、セットトップ・ボックスが状態変化を制御する必要がある。かくして、有料録画機能は、セットトップ・ボックスに、視聴者による以下の３通りの支払い状態が可能である条件付きアクセス制御の下でビデオを出力させる。未払い状態では、消費者（視聴者）はコンテンツの視聴若しくは記録が許可されない。支払いレベル１で、消費者はコンテンツの視聴を許可されるが、コンテンツの記録を許可されない。異なる（より高次の）支払い状態で、消費者は、コンテンツを視聴することも記録することも可能である。第２の透かしを導入するためセットトップ・ボックスを使用することが可能ではあるが、このようなシステムの追加の普及を妨げる「従来技術との互換性」の問題が存在する。特に、第２の透かしを付加するために要求される機能を組み込まない多数のセットトップ・ボックスが実装された基盤が存在する。このようなコピー規制用の第２の透かしをセットトップ・ボックスで使用するコピー規制システムが導入された場合、このような機能を具備しないセットトップ・ボックスをもつ既存の消費者は権利が奪われ、全くコピーを行えなくなる。
【０００５】
これらのコピー規制機能を与える別の方法は、「チケット」である。一例として、暗号カウンタ（通常は、２進数形式の数字）であるチケットは、ビデオと関連した通信チャネルで搬送される。このチケットは、再生及び記録履歴を維持するため、一方向性暗号化機能を使用する。一方向性関数は、暗号分野の熟練者には周知であり、関数は比較的簡単に計算することができるが、元に戻すこと、すなわち、逆関数を計算することが非常に困難であるという特性を有する変換のクラスを含む。換言すると、ｘが与えられたとき、ｆ（ｘ）を計算することは簡単であるが、ｆ（ｘ）が与えられたときに、ｘを計算することが困難である。
【０００６】
１回限りの許可状態の透かしを検出するレコーダは、記録物の作成を許可する前に、正確なチケットを検出しなければならない。セットトップ・ボックスからレコーダへチケットを移すため、ビデオ信号の垂直帰線消去区間（ＶＢＩ）は、通信チャネルとして使用される。しかし、これには、一部の放送ＭＰＥＧエンコーダ（ビデオ圧縮装置）がＶＢＩ全体を送信しないという欠点がある。或いは、チケットは、旧型のテレビジョンのオーバースキャン領域に含まれるよう、アクティブピクチャ領域に挿入される。しかし、この場合、このデータは、（オーバースキャンの少ない）新型テレビジョンの視聴者が見ることができ、消費者に邪魔になるという欠点がある。
【０００７】
チケットを伝達する更に別の方法は、ビットストリームを伝達するため、アナログ、コピー防止対抗システム信号の部分集合を活性化、非活性化することである。ここで、アナログコピー防止対抗信号とは、たとえば、市販されているMacrovision社製のビデオコピー防止処理を示し、Ryanによる米国特許第4,601,603号明細書に記載されている。これは、ＤＶＣＡＭタイプのような既存のデジタルレコーダが、ＶＢＩを記録するのに失敗するので、このチケット形式を自動的に削除するという利点がある。しかし、セットトップ・ボックスからの適切な制御を実現するためには、セットトップ・ボックスの内部ソフトウエアに変更を加える必要がある。ある種の場合に、このソフトウエアは、無線で、或いは、ケーブルを用いて既存のセットトップ・ボックスへダウンロードされ得る。このような方法で、Macrovision Corp.のアナログコピー保護パルスを発生するエンコーダＩＣ（集積回路）は、適切に応答する。しかし、その他の場合、内部ソフトウエアは、セットトップ・ボックスに永久的に実装され、変更できない。
【０００８】
チケットを送信するこれらの全ての方法は、チケットをビデオに挿入するため、ケーブルテレビジョン／衛星システムヘッドエンド制御ソフトウエアへの変更を必要とする。この変更は、ケーブルテレビジョン又は衛星システムの運用者にとって望ましくない程に非常に大きな経費を要する場合がある。
【０００９】
1997年4月10日に国際公開番号WO97/13248として公開された国際特許出願PCT/IB96/00992には、ＭＰＥＧソース信号の階層の上位レベルで機能する電子透かしスキームが記載されている。このスキームによれば、スライス境界若しくは量子化マトリックス値のようなＭＰＥＧストリームのパラメータは、ランダムには出現しそうにない態様で変更され、透かしは、意識的に符号変換を図らない限り消去することが難しい。ＭＰＥＧ標準によって規定されるコピー防止ビットは、このスキームと共に使用される。
【００１０】
1985年5月23日に国際公開番号WO85/02293として公開された国際特許出願PCT/CH84/00185には、著作権侵害行為対抗装置が記載されている。この装置は、ビデオテープのサウンドトラックに書き込まれた、複製中に削除されないマーク信号を検出する検出部と、サウンドトラックに書き込まれた少なくとも一つのデジタル符号化メッセージを検出する検出部と、符号化メッセージを検索する検索部と、マーク信号と符号化メッセージの関数としてテレビジョン受像機によるテープの活用を許可又は禁止する手段とを含む。
【００１１】
1998年8月26日にEP0860992A2として公開された欧州特許出願第98103047号には、所定の基準でデジタルデータ信号を分割するフィールド判定ユニットと、フィールド判定ユニットに応答して、複数の種々の透かしデータのうちの一つを選択する透かしデータ選択出力ユニットと、透かしデータ選択出力ユニットから供給された透かしデータを画像データ信号に挿入する透かし挿入装置と、を含むデジタルデータ符号化システムが記載されている。
【００１２】
［発明の概要］
本明細書の開示内容は、有料録音（又は、一般的には有料録画）を規制するため、テレビジョン（又はオーディオ専用）セットトップ・ボックス内で、透かしを消費者の制御可能な情報と共に使用することに関する。一実施例は、セットトップ・ボックスによって与えられたビデオのコピーを共同で規制するチケット（暗号値）と、ビデオ透かしとを保持するため、（ＮＴＳＣ方式テレビジョンにおける）既存のビデオライン２１の拡張データサービス、若しくは、クローズド・キャプション・プロトコルを使用する。これは、有料録音若しくは有料録画のような付加的な機能が従来型の（遺産的な）セットトップ・ボックスを備えたシステムでも実現できるような態様で行われる。さらに、この解決法は、既存のケーブルテレビジョンシステム又は衛星システムのヘッドエンドＭＰＥＧ（圧縮）エンコーダがこの種の情報を既に送信することができるという利点がある。したがって、システム運用者の基盤設備に対する変更は最小限に抑えられる。
【００１３】
本発明の一局面によれば、ビデオ信号のコピーを規制する方法が開示される。一実施例において、この方法は、ビデオ信号を供給する手順と、ビデオ信号に透かしを埋め込む手順と、ビデオ信号の所定の場所に、透かしと所定の関係にある付随データを付与する手順と、を有する。
【００１４】
本発明の他の局面によれば、後続のコピーを規制するため入力ビデオ信号を処理する装置が開示される。一実施例において、この装置は、シード発生器と、シード発生器からシードを受け取り、得られたデータを出力するハッシュ関数発生器と、シードを受け取り、シードから透かしを生成し、入力ビデオのピクチャ部分に透かしを埋め込む透かし発生器と、得られたデータがビデオのピクチャ部分以外の部分で送信されるように、得られたデータ及び透かし付きのビデオを受信機へ送信する伝送チャネルと、を有する。
【００１５】
本発明の更に別の局面によれば、許可されていないビデオ信号のコピーを阻止するため埋め込まれた透かし及び付随データを有するビデオ信号のコピーを規制する方法が開示される。一実施例において、この方法は、ビデオ信号の宛先側のコピー規制システムによって、ユーザ入力に応じて、ビデオの記録が許可されるべきかどうかを判定する手順と、記録が許可される場合に限り、コピー規制システムによってビデオ信号及び付随データをビデオ信号の宛先側の記録装置へ送信する手順と、を有し、透かしと付随データは所定の関係にある、方法。
【００１６】
本発明の更に別の局面によれば、テレビジョン受像機に接続するためのセットトップ・ボックスが開示される。一実施例において、このセットトップ・ボックスは、透かしを含むビデオ信号を受信し、透かしと所定の関係にある付随データを受信するよう適合した入力端子と、ビデオ信号の記録を可能にさせるユーザ選択事項を受け取る制御端子を具備した条件付きアクセス制御部と、条件付きアクセス制御部の出力端子に接続された制御端子を具備し、入力端子からビデオ信号を受け取り、出力端子を具備し、条件付きアクセス制御部に応答して、付随データを含むビデオ信号又は付随データを含まないビデオ信号を出力する結合器と、を有する。
【００１７】
本発明の更に別の局面によれば、ビデオレコーダを動作させる方法が開示される。この方法は、埋め込まれた透かしと付随データとを含む入力ビデオ信号を受信する手順と、透かしを検出する手順と、付随データを検出する手順と、付随データに所定の圧縮関数を適用する手順と、検出された透かしが圧縮関数の結果と一致する場合に限り、入力ビデオ信号の記録を許可する手順と、を有する。
【００１８】
本発明の更に別の局面によれば、ビデオレコーダが開示される。このビデオレコーダは、記録媒体へのインタフェースと、記録媒体に記録されるビデオ信号を受け取る入力ポートと、入力ポートに接続された透かし検出器と、入力ポートに接続され、ビデオ信号の所定の場所でデータを検出するデータ検出器と、検出された透かしをデータの圧縮関数と比較し、比較結果が一致する場合にビデオ信号の記録媒体への記録を許可するプロセッサと、を有する。
【００１９】
本発明の更に別の局面によれば、媒体に記録されたビデオ信号の再生を規制する方法が開示される。この方法は、媒体からビデオ信号を再生する手順と、ビデオ信号中の透かしを検出する手順と、ビデオ信号と関連したデータを検出する手順と、データに圧縮関数を適用する手順と、透かしがデータに作用する圧縮関数の結果と一致した場合に限り、ビデオ信号の更なる再生を許可する手順と、を有する。
【００２０】
本発明の更に別の局面によれば、ビデオプレーヤが開示される。このビデオプレーヤは、ビデオ信号を出力する記録媒体へのインタフェースと、ビデオ信号を受信するよう接続された透かし検出器と、ビデオ信号と関連したデータを検出するよう接続されたデータ検出器と、透かし検出器及びデータ検出器に接続され、検出されたデータに圧縮関数を適用し、透かしをデータに作用する圧縮関数の結果と比較し、比較結果が一致する場合に限り、更なる再生を許可するプロセッサと、を有する。
【００２１】
本発明の更に別の局面によれば、許可されていない信号のコピーを阻止するためビデオ信号又はオーディオ信号にマークを付ける方法が開示される。一実施例において、この方法は、ビデオ信号又はオーディオ信号を供給する手順と、ビデオ信号又はオーディオ信号に第１の透かしを埋め込む手順と、ビデオ信号又はオーディオ信号をユーザへ送信する手順と、ユーザの動作に応じてビデオ信号又はオーディオ信号に第２の透かしを埋め込む手順と、を有する。
【００２２】
本発明の更に別の局面によれば、許可されていない信号のコピーを阻止するため透かしが埋め込まれたビデオ信号又はオーディオ信号にマークを付ける方法が開示される。一実施例において、この方法は、ユーザ入力に応じてビデオ信号又はオーディオ信号の記録を阻止すべきかどうかを判定する手順と、記録を阻止すべき場合に、第２の透かしを付加する手順と、ビデオ信号又はオーディオ信号を第１の透かし及び第２の透かしと共に送信する手順と、を有する。
【００２３】
本発明の更に別の局面によれば、関連した受像機へ接続するためのビデオ又はオーディオ用のセットトップ・ボックスが開示される。一実施例において、このセットトップ・ボックスは、ビデオ信号又はオーディオ信号を受信するよう適合した入力端子と、ビデオ信号又はオーディオ信号の記録を可能にさせる選択事項を受け取る制御端子を具備した条件付きアクセス制御部と、第２の透かしを埋め込み、条件付きアクセス制御部の出力端子に接続された制御端子を具備し、入力端子からビデオ信号又はオーディオ信号を受け取り、出力端子を具備し、ビデオ信号又はオーディオ信号が第１の透かしを含む場合に、条件付きアクセス制御部に応答して、第１の透かし及び第２の透かしを含むビデオ信号又はオーディオ信号を出力する透かし埋め込み器と、を有する。
【００２４】
最後に、本発明の更に別の局面によれば、ビデオ又はオーディオのレコーダが開示される。一実施例において、このビデオ又はオーディオのレコーダは、記録媒体へのインタフェースと、記録されるべきビデオ信号又はオーディオ信号を受け取る入力ポートと、入力ポートに接続された透かし検出器と、検出された透かしの標識を受け取り、二つの所定の透かしが一致した場合に、ビデオ信号又はオーディオ信号の記録媒体への記録を阻止するプロセッサと、プロセッサと動作的に接続された透かし埋め込み器と、を有する。
【００２５】
［詳細な説明］
本発明によるシステムの一実施例は、ビデオ信号の規制付きコピーを許可することにより収入を得るため、ビデオライン２１（ＮＴＳＣテレビ方式におけるＶＢＩ）のデータに与えられた既存の基盤設備及び法的な有利さを利用し、ビデオ透かしを用いて利用可能な新しい局面と組み合わせる。（米国のテレビジョン標準であるＮＴＳＣテレビジョンにおける）ビデオライン２１は、現在、ＡＮＳＩ／ＥＩＡ−６０８及びＡＮＳＩ／ＥＩＡ−７４４の二つの重要な標準に準拠して、クローズド・キャプション・データ、及び、保護者のブロッキング（Ｖチップ）データを搬送するため使用される。他のテレビジョン標準は、類似した機能を有し、同じように使用される。特に、種々の米国の規則は、米国で販売されるテレビジョンセットがライン２１によって搬送されるデータに反応し、ライン２１上のデータが多様なパスを通過する伝送中に保存されることを要求する。さらに、１９９６年の米国電気通信制定法から導かれる米国ＦＣＣ規則は、保護者ブロッキング（Ｖチップ規制）を行うため、テレビジョン受像機、又は、ＰＣ（パーソナルコンピュータ）がビデオチューナカードと１３インチ以上のサイズのディスプレイとを具備することを要求する。
【００２６】
（少なくとも米国において）保護者ブロッキングを行うための法的要件は、潜在的な記憶／記録装置のクラスとして、ＰＣ（パーソナルコンピュータ）がビデオライン２１のデータを認識しなければならないことを保証する。この法的要求を満たさない場合、ＰＣは、その帯域幅／容量を他の機能のため利用できるようにさせる。ＥＩＡ−６０８に記載されているように、フィールド１、ライン２１は、クローズド・キャプション、又は、元のピクチャコンテンツだけを収容することができる。テレビジョンピクチャは、１フレーム当たりに２フィールドを含む。それ以外のデータサービスは許可されない場合を考える。フィールド２、ライン２１は、クローズド・キャプション、保護者ブロッキング、或いは、その他の拡張データサービスを収容する。拡張データサービスと共に与えられたプロトコルは、十分にフレキシブルであり、プロトコルは、上述のようなチケット（又は、その他の付随データ）を収容することができる。
【００２７】
図１Ａに示されるようなチケットのパスを追跡するため、コンテンツプロバイダ１０によるコンテンツ（番組）準備の時点で、シード（数）Ｓがシード発生器１２（たとえば、乱数発生器）によって生成される。このシードＳは、ハッシュ関数素子１６によって、固定し、かつ、安全な一方向性ハッシュ関数Ｆで処理される。この種の一方向性ハッシュ（圧縮）関数は、元のチケットＴを判定するため暗号分野において周知の関数である。システム運用者が、信頼できる機関であるかどうかは確実には知り得ないので、システム運用者がシードへアクセスできるようにすると、システムのセキュリティを低下させる可能性がある。したがって、本実施例の場合に、システム運用者ではなく、コンテンツプロバイダがシードを発生させる。さらに、シードＳは、透かし埋め込み器２０へ送られる。
【００２８】
このシステムは、デジタル・アナログ・ハイブリッド型テレビジョンシステムであることに注意する必要がある。セットトップ・ボックス３４の上流側で、信号はデジタル形式であり、セットトップ・ボックスは、アナログ信号を出力し、場合によってはデジタル形式及びアナログ形式の両方のビデオ信号を出力する。他のチャネル（たとえば、インターネット）を介する信号伝送を代わりに用いてもよい。
【００２９】
図面中の各ブロックは、従来型の集積回路、市販されているコンポーネント（回路若しくはソフトウエア）若しくは製品、又は、ここで説明されているように変更された従来型の素子を表現し、図面に示されたブロック間のコネクションの性質、及び、それらに必要な変更は、本明細書の説明から当業者には明らかであろう。たとえば、コンテンツプロバイダ１０は、シード、チケット及び透かしの生成がコンピュータの中央処理ユニットによって実行されるソフトウエアにより実現される適切に変更されたコンピュータにおいて具現化される。
【００３０】
透かし埋め込み器２０は、図１Ｂに詳細に示されているように、透かしＷを生成するため、３回にわたってシードＳを関数Ｆへ再帰的に送り、透かしＷは、従来通りに、ビデオ入力ポート２４でビデオ信号Ｖへ付加される（埋め込まれる）。図１Ｂに示されるように、透かし埋め込み器２０は、三つの一方向性ハッシュ関数Ｆブロック２２ａ、２２ｂ及び２２ｃと、得られたデータＦ（Ｆ（Ｆ（Ｓ）））を透かしとしてビデオに挿入する素子２３とを含む。埋め込み器２３の出力信号は、図１Ａに示されるように、ライン２７に現れる。透かしは、利用可能な透かし技術を用いて線形若しくは非線形形式で付加される。一部の例では、適切な暗号複雑性をもつ十分な数のビットを伝達するため、チケットは、時間的に変化する文字の系列として送信される。ｎビット幅のインタフェースによってｍバイトのデータを伝送するこれらのデジタル通信方法は、容易に理解され、たとえば、ＴＣＰ／ＩＰ或いはＰＰＰを含む任意の入手可能なプロトコルが利用され得る。
【００３１】
透かしを含むビデオ信号Ｖ＋Ｗと、チケットＴは、システム（ケーブル若しくは衛星テレビジョン）運用者／ヘッドエンド３０へ別々に送信され、或いは、選択的に、コンテンツプロバイダは、チケットＴを、たとえば、ビデオライン２４に埋め込むため、標準的なクローズド・キャプション・エンコーダを使用する。本例におけるコンテンツプロバイダとシステム運用者との区別は任意的であり、例示のためだけに使用されている。チケットＴをシステム運用者へ独立に渡す方法の一例は、チケットＴをフロッピーディスクへ書き込むことである。システム運用者は、そのチケットＴをＭＰＥＧユーザ・データとしてシステム中に送ることが可能である。
【００３２】
図１Ｃに示されるように、チケットを配布するためライン２１を使用する方法は、システム運用者が、既存基盤設備の残りの部分に変更を加えることなく、透かし／チケット追加システムをそのヘッドエンド３０に配置できる点で有利である。図１Ｃは、それ以外については図１Ａと同じである。この第２の例の場合に、ビデオのライン２１上のデータ（チケットＴ）は、ビデオ信号から抽出され、システムのＭＰＥＧエンコーダによってＭＰＥＧデータとして送信される。さもなければ、ライン２１はビデオと同じように取り扱われ、離散コサイン変換のような変換が施与され、量子化が行われ、ビットレートの減少が生じるので、通常のビデオ圧縮アーティファクトの影響を受ける可能性がある。これにより、チケットが改変される望ましくない結果が生じる。
【００３３】
図１Ｃにおいて、システム運用者のヘッドエンド３０から、チケットＴが、ＭＰＥＧストリームのビデオ基本ストリーム中でライン２１のＭＰＥＧデータとして搬送され、透かしＶ＋Ｗは圧縮ピクチャデータとして送信される。チケットＴは、従来のＭＰＥＧデータストリームの放送及び受信によってすべてのセットトップ・ボックス３４へ与えられる。
【００３４】
セットトップ・ボックス３４の二つのクラス、すなわち、遺産的（旧型）セットトップ・ボックスと、新型（更新された）セットトップ・ボックスを考える必要がある。旧型セットトップ・ボックスは、内部マイクロコントローラのソフトウエアを更新することができない。したがって、旧型セットトップ・ボックスは、ライン２１上のチケットＴを標準的なクローズド・キャプション、テレテキスト、又は、拡張データとして取り扱う。セットトップ・ボックスへ与えられた全ての情報は、ライン２１データとしてアナログビデオ信号に出力される。
【００３５】
旧型セットトップ・ボックスを装備した消費者は、不便を感じることがなく、記録物の作成を妨げられない。これは、コンテンツプロバイダの観点からは欠点である。なぜならば、コンテンツプロバイダは、実際上、成果として得られる収入が減少するからである。しかし、時間変化（ビデオ記録）に関するテレビジョン産業の慣習は、このような消費者が不利に取り扱われるべきではないと指摘する。かくして、ここで説明するシステムは、消費者が実際上、不利に取り扱われることがなく、旧型のセットトップ・ボックスがビデオ出力にチケットを生成することを保証する。図１Ａ、１Ｃ及び１Ｄに示されるように、セットトップ・ボックス３４は、透かしと、チケットとを含むビデオＶ＋Ｗ＋Ｔを出力する。図１Ｄの場合に、セットトップ・ボックス３４Ｂの設計が旧型の設計であるため、消費者はチケットを制御できない。唯一可能なユーザ規制は、有料視聴、又は、無料視聴不可である。これは、図１Ｄのセットトップ・ボックス３４ａに示されたスイッチ４１によって制御される。
【００３６】
本発明による新しいセットトップ・ボックス又は更新されたセットトップ・ボックスは、消費者に付加的な規制を加え、システム運用者及び多数のコンテンツプロバイダがより大きな収入を得られるようにする。この場合、消費者は、自分が単に番組を視聴するだけか、或いは、番組を視聴し、番組を記録／蓄積したいかを選択することができる。視聴者が、オン・スクリーン・ディスプレイ及びリモートコントローラを備えた標準的なインタフェースを介して選択したとき、セットトップ・ボックスの条件付きアクセスシステム（ＣＡ）のサブシステム３６は、消費者が選択した行動の標識、すなわち、視聴するだけか、又は、視聴し記録するかを記憶する。
【００３７】
この標識は、従来のケーブル／衛星テレビジョン／インターネットの戻りパス３９（図１Ａ、１Ｃ）を介してシステム運用者へ送信される。戻りパス３９は、たとえば、電話回線を使用する電話モデムであり、ケーブルテレビジョンシステムをサポートする場合、戻りパスは従来型のケーブル・プラント戻りパスである。アクセスの報告は、戻りパス３９を介して、消費者へ請求するため、通常のシステム運用者課金システム３５に対してなされる。
【００３８】
条件付きアクセスサブシステム３６が消費者の要求の標識を格納した後、チケットＴがビデオに付加される。コンテンツを閲覧するだけの場合、チケットを含まないビデオＶ＋Ｗがセットトップ・ボックス３４から供給される。コンテンツを視聴して記録する場合、チケットを含むビデオＶ＋Ｗ＋Ｔがセットトップ・ボックス３４から供給される。チケットＴをビデオＶに付加するには、チケットデータＴを、セットトップ・ボックス３４のエンコーダＩＣ（集積回路）に入れるか、或いは、セットトップ・ボックス３４内に設けられたＡＴＳＣ  ＲＦ復調器集積回路に入れる。このエンコーダＩＣは、入力デジタルビデオ信号に基づいて、セットトップ・ボックス３４に連結された関連したテレビジョン受像機（図示しない）へアナログビデオ信号を出力する。ＡＴＳＣデジタルテレビジョン信号を出力するのはＲＦ復調器である。本例の場合、チケットＴは、消費者のセットトップ・ボックス３４を介して消費者によって制御可能である。
【００３９】
図１Ａ及び１Ｃにおいて、レコーダ４２は、アナログビデオ信号Ｖ＋Ｗ又はＶ＋Ｗ＋Ｔを受信する。ビデオレコーダ４２（その一部分は図３に詳細に示されている）は、大部分が従来通りのレコーダであるが、以下で説明されるように記録制御機能を含むように適合させられる。チケット／ライン２１のデータ抽出器４８は、チケットＴを抽出し、そのチケットＴを、回路（プロセッサ）５４、５６へ送出し、回路５４、５６は、チケットＴに対し一方向性ハッシュ関数Ｆを２回実行する。回路５４、５６におけるハッシングの結果が、比較器５７において、透かし検出器５０によって検出されたビデオ信号中の透かしＷと照合するならば、スイッチ５８は閉じ、レコーダ４２による記録が許可され、すなわち、以下の条件付き論理ステートメント：
Ｗ＝Ｆ（Ｆ［Ｔ］）
が真であるとして返されたときに、記録が許可される。
【００４０】
図３に示されるように、比較器５７によって制御されたスイッチ５８（閉じたとき）は、チケット／ライン２１  検出器回路５２によって抽出されたＶ＋Ｗ信号を、スイッチ５８の出力端子へ供給する。この出力信号Ｖ＋Ｗは、従来型のレコーダ４２の実際の記録部（図示しない）へ供給される。
【００４１】
次に、有料録画機能が実現される。記録制御４３によって検出されたチケットＴが存在しない場合、このステートメント（比較）はノーとして返される。これは、消費者がコンテンツを視聴だけするよう選択した場合に対応する。おそらくはビデオ信号の記録が既に行われたため、間違ったチケットＴがビデオに付随するとき、ステートメントは、偽として返され、記録は許可されない。レコーダ４２は、デジタルレコーダでなくても構わないことに注意する必要がある。ビデオ及びチケットをレコーダ媒体４６に記録するとき（この場合、媒体は図１Ａに示されるようにディスクである）、チケットＴは、再度、関数Ｆを適用され、新しいバージョンのチケットＴ’を生成する。この場合、暗号カウンタは、
Ｔ’＝Ｆ（Ｔ）
のようにインクリメントされる。
【００４２】
後で、図２に示されるように記録媒体４６からビデオコンテンツを再生するとき、プレーヤ５２（たとえば、ＤＶＤプレーヤ）内のドライブ装置５０と関連した回路は、関数ＦをチケットＴへ適用することにより、
Ｔ”＝Ｆ（Ｔ’）
として、チケットＴを再びインクリメントする。ドライブ装置５０は、たとえば、ＤＶＤプレーヤ５２が、ＭＰＥＧデコーダと関連したソフトウエア若しくはハードウエアを備えたパーソナルコンピュータ内のドライブ装置として実現されるとき、この機能を実行する。ドライブ装置や回転媒体は必須ではないことに注意する必要がある。媒体は、たとえば、適切なアクセス回路を備えた半導体記憶装置でもよい。何れの場合でも、実際の記録（記憶）媒体への従来型のインタフェース（ドライブ装置若しくは半導体記憶装置の制御回路）が存在する。
【００４３】
ドライブ装置（若しくは、適当な回路）は、セキュリティを高めるため、チケットインクリメントを実行する。プレーヤ５２は、図１Ａのレコーダ４２でも、再生専用装置でもよい。プレーヤ５２のＭＰＥＧデコーダ５４において、透かしＷが再検出され、現在のチケットＴ”に対し検査される。一致したとき、再生が許可され、再生制御が行われる。この場合、以下の式：
Ｗ＝Ｔ”＝Ｆ（Ｔ’）＝Ｆ（Ｆ（Ｔ））
が成立する。
【００４４】
この点において、（図２に示されるように）再生制御下での更なるオプションは、利得制御及び／又はカラーストライプのようなMacrovision Corporation から入手可能であるタイプのアナログビデオコピー防止をビデオ信号に適用することである。これは、更なるＶＨＳアナログビデオコピーが阻止され（或いは、少なくとも使用不可であり）、かつ、透かし検出器を含む機器によって取り扱われる付加的なデジタルコピーが阻止されるという効果を奏する。
【００４５】
上記の透かしは、関連した透かしシステムの能力に依存して多種多様な方式で実現され得る。たとえば、利用可能な透かしシステムが単一のフィールドで十分なデータを伝達することができるならば、十分に大量のデータを伝達することができ、時間的に変化するメカニズムを適用する必要がなくなる。一部の実施例では、透かしシステムは、１フレーム当たりに８ビットを搬送する。しかし、シードをハッシングする目的のために利用できるビットは４ビットだけであり、残りの４ビットは他の用途に必要である。セキュリティ上の理由から、６４ビットのシードと６４ビットのチケットを使用することが望ましい。かくして、上記実施例は、少なくとも１６フレームを必要とし、実際のフレーム数は、デジタル通信システム設計に基づいて採用されるトランスポート・プロトコルに依存する。一実施例は、スタート特性及びストップ特性を利用するＰＰＰのような典型的なプロトコルを必要とする。ビデオ通信チャネルの性質を考慮して、前方誤り訂正の形式を利用することが望ましい。リード・ソロモン符号化は、この目的のために広汎に使用される前方誤り訂正符号の一例である。
【００４６】
ある種の実施例は、ライン２１上でチケットを搬送するとき、１フィールド当たりに１６ビットを利用する。かくして、チケット処理及び透かし処理は、判定を遅延させ、全てのデータ値が利用可能になるときに同期して行えるように、記憶用のバッファを必要とする。このようなタイプのバッファの設計は、本明細書の開示内容に照らして、ビデオ及びデジタル通信分野における当業者にとって明らかである。
【００４７】
以上の通り、有料録画機能を実現すべくセットトップ・ボックスとレコーダの間でチケットを搬送するためアナログビデオのライン２１を使用する方法について説明したが、透かしと、セットトップ・ボックス内の消費者可制御型情報との任意の組合せを使用することができる。この解決法は、特定のテレビジョン標準に限定されない。特に、チケットがセットトップ・ボックスを用いて消費者によって制御できるような形でセットトップ・ボックスへ送信される所望の特定を有する限り、チケットを保持するため、他のビデオラインを使用しても構わない。
【００４８】
さらに、ビデオが、ＩＥＥＥ−１３９４（ファイヤワイヤ）、又は、ＡＴＳＣ（高精細テレビジョン）８−ＶＳＢ信号のようなデジタルインタフェースを介してセットトップ・ボックスから記憶機能のある装置（レコーダ）へ送信されるとき、チケットはセットトップ・ボックス内で制御できる。この場合、正しいチケットが伝送され、又は、正しいチケットが伝送されず、透かし／チケットの組合せがコピー状態を定める。これらの状況において、チケットは、ＭＰＥＧユーザ・データ記述子を用いて送信される。一部の場合に、チケットを送信しない方が望ましく、その他の場合に、正しくないチケットを送信することが望ましい。
【００４９】
ビデオ信号にはチケットを伝送するため使用できる他の場所があるが、チケットは、セットトップ・ボックス内で制御される。セットトップ・ボックスは、コンテンツ所有者が視聴専用の料金又は視聴及び記録用の料金を確実に受け取る方式を提供する。この方式では、透かしと、セットトップ・ボックスにおいて消費者が制御できる付随したデータとが使用される。
【００５０】
別の実施例（図４を参照のこと）は、透かし再マーカー６０として、セットトップ・ボックス３４に設けられた第２の透かし埋め込み器を使用する。ここでは、チケットは使用されない。ビデオを作成し、ビデオを記録若しくは視聴のみするこの方法において、第２の透かしＷ２が使用される。図４には、図１Ａに示された素子と同一の素子が示され、図１Ａの素子と類似した素子の参照番号には、文字”ａ”が付加されている。
【００５１】
図４のシステムにおいて、消費者選択事項が（記録することではなく）視聴することであるとき、セットトップ・ボックス３４ｂからのアナログビデオ信号出力は、これ以上のコピー不許可を表すＶ＋Ｗ１＋Ｗ２である。消費者選択事項が視聴と記録である場合、セットトップ・ボックス３４ａからのビデオ信号出力は１回限りのコピー許可を表すＶ＋Ｗ１である。これらの条件下で、関連したレコーダ４２ａの記録制御部６４は、図５に詳細に示されるように動作する。レコーダ４２ａのその他の部分は従来通りである。
【００５２】
透かしＷ１検出器６６は、最初に、透かしＷ１を検出する。透かしＷ１が検出されなかったとき、無制限コピーが可能であるか、又は、コンテンツに著作権上の制限が課されていないと考えられるので、記録（コピー）が許可される。ブロック６８で透かしＷ１が検出されたとき、透かしＷ２検出器７２は透かしＷ２を検出する。透かしＷ２が検出されなかったとき、これは１回限りのコピー許可状態であることを表すので、記録が許可される。システムは、記録が許可されるという点でフェールセーフ型である。透かしＷ１、W２は、典型的に、アクティブビデオの予め決められた関数であることに注意する必要がある。フェールセーフ機構は、積極的な透かし検出の誤りによって、必ずしもユーザに不便を感じさせない機構である。一般的に、透かしは、ビデオ画像の基本構造に織り込まれた模様である。基本的なアクティブビデオ内容を劣化させることなく透かしを取り除くことは非常に困難である。
【００５３】
ブロック７２で透かしＷ２が透かしＷ１と共に検出されたとき、これ以上のコピー不許可状態を表すので、記録は許可されない。これは、スイッチ７６を制御することにより行われ、本例では、比較器７０からの結果がイエスの場合に、スイッチ７６は開成される。さもなければ（記録が許可された場合）、スイッチ７６は閉成され、透かしＷ２埋め込み器７４からのビデオ信号Ｖ１＋Ｗ１＋Ｗ２は、スイッチ７６から出力され、レコーダ４２ａの残りの（図示しない）通常の部分によって記録される。レコーダ４２へのビデオ信号入力が透かしＷ１を含み、透かしＷ２を含まず、媒体４６ａに記録される場合、媒体４６ａへ記録する前に透かしＷ２がビデオ信号に埋め込まれる。
【００５４】
また、図５において、透かしＷ１と透かしＷ２に対し別々の検出器６６と検出器７２が示されているが、これらの検出器は、実際には、透かしＷ１と透かしＷ２が区別されるように内部的に再構成された同じ機能的ハードウエア（又は、ソフトウエア）素子に実装することができる。この実装は当業者であれば容易に実現できる。本実施例を使用する媒体の再生は簡単であるが、透かしの検査又は検出が要求されないので、セキュリティのレベルは低い。さらに、殆どの場合に、準拠式レコーダがプレーヤに連結され、引き続きコピーが生成されることを防止する。準拠式レコーダが連結されていないシステムは、再生制御の付加価値が無くても記録制御の価値が得られるので、依然として価値がある。
【００５５】
上記のシステムの説明では、セットトップ・ボックス（ＳＴＢ）とレコーダは別々の装置である場合を考えているが、両方の装置の機能を一つの装置に統合することを排除するものではない。
【００５６】
図６Ａは、上記の実施例と同じ参照番号を使用するシステムが示されているが、媒体４６を再生するときに、透かし及びチケットを含むビデオ（Ｖ＋Ｗ＋Ｔ”）を出力する準拠式プレーヤ８０が更に示されている。
【００５７】
図６Ｂは、セットトップ・ボックス３４を含む関連したシステムを示す図であり、セットトップ・ボックス３４は単一の装置８４内でレコーダ４２と組み合わされている。同図に示されるように、レコーダ／プレーヤ４２からの出力信号ストリームは、
Ｗ＝Ｆ（Ｆ（Ｔ））
である場合に、レコーダ８８へ供給される。同様に、媒体４６は、プレーヤ８６で再生され、プレーヤ８６は、同図に示されるように、透かしとチケットを含むビデオ（Ｖ＋Ｗ＋Ｔ”）、又は、透かしだけを含むビデオ（Ｖ＋Ｗ）であるビデオストリームを出力する。
【００５８】
明らかに、図６Ａのシステム及び図６Ｂのシステムは、記録を制御する上記の第１の透かし及び第２の透かし方法を利用する上記のシステムにおいて使用され得る。
【００５９】
上記の説明はビデオに関する説明であるが、第１の透かし及び第２の透かしを使用する類似した解決法がオーディオの記録（録音）を規制するため適用される。したがって、図７に示されたシステムは、多数の局面において、図４に示されたシステムと類似しているが、有料録音の可能性を備えた改良型オーディオ配信を提供するよう適合している。図７の構造の中で、図４と同じラベルが付けられているコンポーネントは、システム運用者ヘッドエンド３０だけである。他のコンポーネントは、図４のコンポーネントと多少は類似しているが、本例の場合にオーディオ目的に適合していることを示すため、別の番号が付けられている。
【００６０】
オーディオ素材の供給源であるコンテンツプロバイダ９０は、透かし埋め込み器９２の入力端子へ供給されるコピー規制情報ＣＧＭＳを生成し、透かし埋め込み器９２のもう一方の入力へは通常のオーディオ入力信号Ａが供給される。透かし付きの得られた出力オーディオＡ＋Ｗ１は、従来型のチャネルを介して、システム運用者ヘッドヘンド３０へ通信される。システム運用者ヘッドエンド３０から、オーディオ信号Ａ＋Ｗ１は、たとえば、衛星若しくはケーブルテレビジョン配信システムを介して、セットトップ・ボックス９６へ送信される。セットトップ・ボックス９６は、条件付きアクセスシステム９８を含み、ライン１００上の消費者選択事項が条件つきアクセスシステム９８へ供給される。
【００６１】
セットトップ・ボックス９６は、条件付きアクセスシステム９８の制御下で透かしＷ２を付加する透かし再マーカー１０２を含む。透かし再マーカー１０２は、透かし付きのオーディオストリームを二つの形式のうちの一方の形式で出力する。一方の形式は１回限りのコピー許可の形式であり、他方の形式はこれ以上のコピー不許可の形式である。すなわち、二つの形式は、常に透かしＷ１を含み、透かしＷ２を含まない場合と含む場合とがあるアナログオーディオＡを表すＡ＋Ｗ１と、Ａ＋Ｗ１＋Ｗ２である。関連した準拠式レコーダ１０６は、このアナログオーディオ信号を受け取り、その記録制御１０８の制御下で、透かしＷ１及びＷ２が存在するときには記録を行わず、透かしＷ２が存在せず、レコーダ１０６が記録モードである場合には、Ｗ２をオーディオに付加し、関連した媒体１１２に記録させるためオーディオストリームＡ＋Ｗ１＋Ｗ２を出力する。
【００６２】
図８にはレコーダ１０６の詳細なブロック図が示され、同図に示されたオーディオレコーダ１０６の記録制御部１０８は、透かしＷ１検出器１１４と、透かしＷ２検出器１１６と、透かしＷ２埋め込み器１１８とを含む。透かしＷ１検出器１１４からの信号出力は、ブロック１１２において、透かしＷ１が存在するかどうかの標識である。この標識は、透かしＷ２が存在するかどうかを表す標識とブロック１１４で局所的に結合される。両方の透かしが存在する場合に限り、スイッチ１２８が開成し、記録を阻止する。それ以外の場合には、スイッチ１２８は閉成され、透かし付きのオーディオＡ＋Ｗ１＋Ｗ２を記録制御部１０８の出力端子１３０へ送る。図８には、レコーダ１０６の記録制御部１０８だけが示され、図示されていない部分は従来型の記録部分であることに注意する必要がある。
【００６３】
以上の説明は、例示的であって、限定的ではない。当業者には、請求項に記載された事項の範囲に包含される更なる変形が認められるであろう。たとえば、本発明のシステム及び方法は、種々の標準に準拠したテレビジョン及びビデオに容易に適用できる。
【図面の簡単な説明】
【図１Ａ】本発明によるシステムのブロック構成図である。
【図１Ｂ】図１Ａの詳細図である。
【図１Ｃ】図１Ａのシステムの一変形例のブロック構成図である。
【図１Ｄ】図１Ｃのシステムの一変形例のブロック構成図である。
【図２】本発明による再生処理の説明図である。
【図３】図１Ａのシステムのためのビデオレコーダの構成図である。
【図４】別のシステムのブロック構成図である。
【図５】図４のシステムのためビデオレコーダの構成図である。
【図６Ａ】図１のシステムを示す図である
【図６Ｂ】セットトップ・ボックスとレコーダの組合せを示す図である。
【図７】オーディオ用に変更された図４のシステムの構成図である。
【図８】図７のシステム用のオーディオレコーダの構成図である。
【図１Ａ】
0003601698.tif 000002
【図１Ｂ】
0003601698.tif 000003
【図１Ｃ】
0003601698.tif 000004
【図１Ｄ】
0003601698.tif 000005
【図２】
0003601698.tif 000006
【図３】
0003601698.tif 000007
【図４】
0003601698.tif 000008
【図５】
0003601698.tif 000009
【図６Ａ】
0003601698.tif 000010
【図６Ｂ】
0003601698.tif 000011
【図７】
0003601698.tif 000012
【図８】
0003601698.tif 000013